(57)【特許請求の範囲】
【請求項１】
バッテリのバッテリポストに直付けされる電気接続箱の固定構造であって、
前記電気接続箱は、バッテリポストに固定されるバッテリポスト接続部を備え、
前記電気接続箱を固定する接続箱用固定部と前記バッテリに固定するバッテリ用固定部とを有するブラケットを備え、
前記電気接続箱が前記ブラケットを介して前記バッテリに固定されたことを特徴とする電気接続箱の固定構造。
【請求項２】
請求項１記載の電気接続箱の固定構造であって、
前記接続箱用固定部は、複数のスライド係止壁にて構成され、前記各スライド係止壁に前記電気接続箱がスライド挿入によって固定されることを特徴とする電気接続箱の固定構造。
【請求項３】
請求項１又は請求項２に記載の電気接続箱の固定構造であって、
前記バッテリ用固定部は、前記バッテリの側壁面に係止する係止壁部を有することを特徴とする電気接続箱の固定構造。
【発明の詳細な説明】
【技術分野】
【０００１】
本発明は、バッテリのバッテリポストに直付けされる電気接続箱の固定構造に関する。
【背景技術】
【０００２】
この種の従来の電気接続箱の固定構造としては、図１０に示すものがある（特許文献１参照）。図１０において、バッテリ５０の上面５０ａには、バッテリポスト５１が突設されていると共に複数の固定ネジ部５２が突設されている。電気接続箱６０は、バッテリポスト接続部（図示せず）が付設されたバスバー（図示せず）と、バスバーを覆うように配置されたハウジング６１とを備えている。ハウジング６１の複数箇所には、取付部６２が設けられている。
【０００３】
電気接続箱６０は、そのバッテリポスト接続部（図示せず）をバッテリポスト５１に固定し、且つ、各取付部６２を貫通した固定ネジ部５２にナット７０を螺入することによってバッテリ５０の上面５０ａに固定される。
【先行技術文献】
【特許文献】
【０００４】
【特許文献１】米国特許  第５，６４３，６９３号明細書
【発明の概要】
【発明が解決しようとする課題】
【０００５】
しかしながら、前記従来例の電気接続箱６０の固定構造では、電気接続箱６０とバッテリ５０の双方の固定位置、固定手段等が適合しない場合には、固定することができない。従って、バッテリ５０の大きさ、形状等が異なると、仮に出力端子数や定格電流値が同じものであっても、当該バッテリの固定位置、固定手段に適応するよう電気接続箱６０を設計変更する必要があり、電気接続箱６０を共有化できないという問題があった。
【０００６】
そこで、本発明は、前記した課題を解決すべくなされたものであり、バッテリの大きさ、形状等に係わらず同じ電気接続箱を固定でき、電気接続箱を共有化できる電気接続箱の固定構造を提供することを目的とする。
【課題を解決するための手段】
【０００７】
請求項１の発明は、バッテリのバッテリポストに直付けされる電気接続箱の固定構造であって、前記電気接続箱は、バッテリポストに固定されるバッテリポスト接続部を備え、前記電気接続箱を固定する接続箱用固定部と前記バッテリに固定するバッテリ用固定部とを有するブラケットを備え、前記電気接続箱が前記ブラケットを介して前記バッテリに固定されたことを特徴とする電気接続箱の固定構造である。
【０００８】
請求項２の発明は、請求項１記載の電気接続箱の固定構造であって、接続箱用固定部は、複数のスライド係止壁にて構成され、複数の前記スライド係止壁に前記電気接続箱がスライド挿入によって固定されることを特徴とする電気接続箱の固定構造である。
【０００９】
請求項３の発明は、請求項１又は請求項２に記載の電気接続箱の固定構造であって、前記バッテリ用固定部は、前記バッテリの側壁面に係止する係止壁部を有することを特徴とする電気接続箱の固定構造である。
【発明の効果】
【００１０】
請求項１の発明によれば、大きさ、形状等が異なるバッテリに対しては、当該バッテリの固定位置、固定手段に適応するバッテリ用固定部を有するブラケットに変更すれば、同じ電気接続箱を固定できる。従って、バッテリの大きさ、形状等に係わらず同じ電気接続箱を固定でき、電気接続箱を共有化できる。
【００１１】
請求項２の発明によれば、請求項１の発明の効果に加え、電気接続箱をブラケットにスライドさせるだけで固定できるため、電気接続箱とブラケット間の取付けが容易である。
【００１２】
請求項３の発明によれば、請求項１又は請求項２の発明の効果に加え、ブラケットの係止壁部は、バッテリの側壁面に係止されるため、バッテリ側にブラケット用の被固定部を別途設ける必要がない。
【図面の簡単な説明】
【００１３】
【図１】本発明の一実施形態を示し、ヒュージブルリンクユニットの固定構造を示す斜視図である。
【図２】本発明の一実施形態を示し、ヒュージブルリンクユニットとブラケットの組付体とバッテリの斜視図である。
【図３】本発明の一実施形態を示し、ヒュージブルリンクユニットとブラケットとバッテリの斜視図である。
【図４】本発明の一実施形態を示し、ヒュージブルリンクユニットとブラケットを組み付けた状態を示す平面図である。
【図５】本発明の一実施形態を示し、バッテリ上に配置されたブラケットの側面図である。
【図６】本発明の一実施形態を示し、バッテリ上に載置されたブラケットの平面図である。
【図７】大きさの異なるバッテリに対してヒュージブルリンクユニットを固定した斜視図である。
【図８】ヒュージブルリンクユニットとブラケットと大きさの異なるバッテリの斜視図である。
【図９】大きさの異なるバッテリに対して載置されたブラケットの側面図である。
【図１０】従来例の電気接続箱の固定構造を示す斜視図である。
【発明を実施するための形態】
【００１４】
以下、本発明の一実施形態を図面に基づいて説明する。
【００１５】
図１〜図６は本発明の一実施形態を示し、図１はヒュージブルリンクユニット１の固定構造を示す斜視図、図２はヒュージブルリンクユニット１及びブラケット１０の組付体とバッテリ２０の斜視図、図３はヒュージブルリンクユニット１とブラケット１０とバッテリ２０の斜視図、図４はヒュージブルリンクユニット１とブラケット１０を組み付けた状態を示す平面図、図５はバッテリ２０上に配置されたブラケット１０の側面図、図６はバッテリ２０上に載置されたブラケット１０の平面図である。
【００１６】
図１〜図６において、電気接続箱であるヒュージブルリンクユニット１は、バッテリポスト２１に直付けされ、ブラケット１０を介してバッテリ２０の取付面である上面２０ａに固定されている。
【００１７】
ヒュージブルリンクユニット１は、バスバーより形成されたヒュージブルリンク（図示せず）と、このヒュージブルリンク２の外周を被うように配置された合成樹脂製のハウジング３とを備えている。ヒュージブルリンク２には、バッテリポスト接続部４が付設されている。このバッテリポスト接続部４は、ポスト挿入孔４ａとこのポスト挿入孔４ａを縮径できる締結部４ｂとを有する。ポスト挿入孔４ａに挿入したバッテリポスト２１を締結部４ｂで締結することによって、バッテリポスト２１に固定される。つまり、バッテリポスト２１に直付けされる。又、ヒュージブルリンク２には、複数の可溶部（図示せず）と複数の出力端子（図示せず）が一体に形成されている。
【００１８】
ハウジング３には、出力端子（図示せず）の外周を被う複数のコネクタハウジング部３ａが一体に設けられている。各コネクタハウジング部３ａには、負荷側に接続される配線のコネクタ（図示せず）が装着される。又、ハウジング３の三方向の側端部には、被固定部５ａ，５ｂ，５ｃが設けられている。各被固定部５ａ，５ｂ，５ｃには、可撓性ロック（図示せず）が設けられている。
【００１９】
バッテリ２０は、ほぼ直方体形状であり、幅寸法がＷ１である。バッテリ２０の上面２０ａには、一対のバッテリポスト２１が突設されている。
【００２０】
ブラケット１０は、合成樹脂製であり、ヒュージブルリンクユニット１が載置されるブラケット本体部１１と、ヒュージブルリンクユニット１を固定する接続箱用固定部１３と、バッテリ２０に固定するバッテリ用固定部１４とを備えている。
【００２１】
接続箱用固定部１３は、ブラケット本体部１１の三方向の側端部より上方に向かって突出された３つのスライド係止部１３ａ，１３ｂ，１３ｃにて構成されている。
【００２２】
三方向のスライド係止部１３ａ，１３ｂ，１３ｃには、ヒュージブルリンクユニット１の三方向の被固定部５ａ，５ｂ，５ｃがそれぞれスライド挿入によって係止されている。挿入完了位置では、ヒュージブルリンクユニット１の被固定部５ａ，５ｂ，５ｃの各ロック爪１５（図３に示す）がスライド係止部１３ａ，１３ｂ，１３ｃの各係止溝（図示せず）に係止される。これにより、ヒュージブルリンクユニット１とブラケット１０間が固定される。
【００２３】
三方向のスライド係止部１３ａ，１３ｂ，１３ｃは、ヒュージブルリンクユニット１のバッテリポスト２１を支点とする回転変位を規制する。つまり、スライド係止部１３ａ，１３ｂ，１３ｃは、バッテリポスト２１を支点とする一方向（Ｍ方向）の回転変位を規制し、スライド係止部１３ａ，１３ｃは、バッテリポスト２１を支点とする逆方向（Ｎ方向）の回転変位を規制する。
【００２４】
バッテリ用固定部は、ブラケット本体部１１の下方に向かって突出する２箇所の係止壁部１４ａ，１４ｂと、ブラケット本体部１１の側方に向かって延設された舌片係止部１４ｃとから構成されている。一方の係止壁部１４ａは、バッテリ２０の側壁面２０ｂに係止されている。他方の係止壁部１４ｂは、バッテリ２０の互いに直交する側壁面２０ｃ，２０ｄに係止されている。２箇所の係止壁部１４ａ，１４ｂは、ブラケット１０のバッテリポスト２１を支点とする回転変位を規制する。つまり、一方の係止壁部１４ａは、バッテリポスト２１を支点とする逆方向（Ｎ方向）の回転変位を規制する。他方の係止壁部１４ｂは、バッテリポスト２１を支点とする一方向（Ｍ方向）の回転変位を規制する。
【００２５】
舌片係止部１４ｃは、バッテリ２０の上面２０ａに配置されている。舌片係止部１４ｃの上方には、バッテリクランプ（図示せず）が配置される。舌片係止部１４ｃは、バッテリ２０の上面２０ａとバッテリクランプ（図示せず）に上下方向から挟持され、これによってブラケット１０の上下方向の変位を規制する。
【００２６】
上記構成において、ヒュージブルリンクユニット１をバッテリ２０に固定するには、先ず、図２に示すように、ヒュージブルリンクユニット１にブラケット１０を組み付ける。この組み付けは、ヒュージブルリンクユニット１の各被固定部５ａ，５ｂ，５ｃをブラケット１０の各スライド係止部１３ａ，１３ｂ，１３ｃにスライド挿入することによって行う。次に、ヒュージブルリンクユニット１とブラケット１０の組付体を、バッテリポスト接続部４のポスト挿入孔４ａにバッテリポスト２１を挿入しつつバッテリ２０の上面２０ａに載置する。そして、ブラケット１０の係止壁部１４ａ，１４ｂをバッテリ２０の３方向の側壁面２０ｂ，２０ｃ，２０ｄにそれぞれ係止する。次に、ブラケット１０の舌片係止部１４ｃの上面にバッテリクリップ（図示せず）をセットし、バッテリポスト接続部４をバッテリポスト２１に固定すれば、完了する。
【００２７】
次に、前記した同じヒュージブルリンクユニット１を、前記したバッテリ２０と比較して小さい幅寸法Ｗ２（＜Ｗ１）のバッテリ２０Ａに固定する場合を説明する。
【００２８】
図７〜図１０において、ブラケット１０は、前記したブラケット１０Ａと異なる構成のものを使用する。つまり、使用するブラケット１０Ａは、前記したブラケット１０と比較して、３箇所のスライド係止部１３ａ，１３ｂ，１３ｃと一方の係止壁部１４ａの設置位置を同じくするが、他方の係止壁部１４ｂと舌片係止部１４ｃの設置位置を異ならせたものである。つまり、他方の係止壁部１４ｂは、幅寸法Ｗ２が小さいバッテリ２０Ａの側壁面２０ｃ，２０ｄに合わせ、その側壁面２０ｃ，２０ｄに係止できるよう位置変更されている。舌片係止部１４ｃも同様に、幅寸法Ｗ２が小さいバッテリ２０Ａの上面に合わせ、その上面２０ａに載置できるよう位置変更されている。
【００２９】
ヒュージブルリンクユニット１をバッテリ２０Ａに固定するには、前記した場合と同様に、先ず、ヒュージブルリンクユニット１にブラケット１０Ａを組み付け、その後、ヒュージブルリンクユニット１とブラケット１０Ａの組付体をバッテリ２０Ａの上面２０ａに組み付けすれば良い。
【００３０】
この具体例では、バッテリ２０，２０Ａの大きさが異なる場合を説明したが、バッテリ２０，２０Ａの形状等が異なる場合にも同様に、ブラケット１０，１０Ａのみを変更することにより、同じヒュージブルリンクユニット１を固定できる。
【００３１】
以上説明したように、ヒュージブルリンクユニット１を固定する接続箱用固定部１３とバッテリ２０に固定するバッテリ用固定部１４とを有するブラケット１０を備え、ヒュージブルリンクユニット１をブラケット１０を介してバッテリ２０，２０Ａに固定する。従って、大きさ、形状等が異なるバッテリ２０，２０Ａに対しては、当該バッテリ２０，２０Ａの固定位置、固定手段に適応するバッテリ用固定部１４を有するブラケット１０，１０Ａに変更すれば、同じヒュージブルリンクユニット１を固定できる。従って、バッテリ２０，２０Ａの大きさ、形状等に係わらず同じヒュージブルリンクユニット１を固定でき、ヒュージブルリンクユニット１を共有化できる。
【００３２】
ブラケット１０のスライド係止部１３ａ，１３ｂ，１３ｃは、ヒュージブルリンクユニット１の被固定部５ａ，５ｂ，５ｃをスライド挿入することによって固定される。従って、ヒュージブルリンクユニット１とブラケット１０，１０Ａ間の取付けが容易である。
【００３３】
バッテリ用固定部１４は、バッテリ２０，２０Ａの側壁面２０ｂ，２０ｃ，２０ｄに係止される係止壁部１４ａ，１４ｂを有するので、バッテリ２０，２０Ａ側にブラケット用の被固定部を別途設ける必要がない。
【００３４】
係止壁部１４ａ，１４ｂは、バッテリ２０，２０Ａの三方向の側壁面２０ｂ，２０ｃ，２０ｄに係止するので、ブラケット１０，１０Ａのバッテリポスト２１を支点とする両方向の回転変位を確実に防止できる。以上より、バッテリ２０，２０Ａに何ら被固定部を設けることなく、しかも、ブラケット１０，１０Ａのバッテリポスト２１を支点とする回転変位を防止できる。
【００３５】
例えば、外部コネクタ（図示せず）をコネクタハウジング部３ａに挿入したり、引き抜いたりする際に、バッテリポスト２１を支点とする回転力がヒュージブルリンクユニット１とブラケット１０，１０Ａに作用する。三方向のスライド係止部１３ａ，１３ｂ，１３ｃがヒュージブルリンクユニット１のバッテリポスト２１を支点とする回転変位を確実に防止し、二方向の係止壁部１４ａ，１４ｂがブラケット１０，１０Ａのバッテリポスト２１を支点とする両方向の回転変位を確実に防止する。
【００３６】
バッテリ用固定部１４は、舌片係止部１４ｃを有するので、舌片係止部１４ｃによってブラケット１０，１０Ａの上下方向の変位も確実に防止できる。
【００３７】
尚、この実施形態では、電気接続箱がヒュージブルリンクユニット１の場合を説明したが、本発明は、ヒュージブルリンクユニット１以外のものでも適用できることはもちろんである。
【符号の説明】
【００３８】
１  ヒュージブルリンクユニット（電気接続箱）
５ａ，５ｂ，５ｃ  被固定部
１０，１０Ａ  ブラケット
１３  接続箱用固定部
１３ａ，１３ｂ，１３ｃ  スライド係止壁
１４  バッテリ用固定部
１４ａ，１４ｂ  係止壁部
２０，２０Ａ  バッテリ
２０ａ  上面（取付面）
２０ｂ，２０ｃ，２０ｄ  側壁面
２１  バッテリポスト
【図１】
0005580058.tif 000002
【図２】
0005580058.tif 000003
【図３】
0005580058.tif 000004
【図４】
0005580058.tif 000005
【図５】
0005580058.tif 000006
【図６】
0005580058.tif 000007
【図７】
0005580058.tif 000008
【図８】
0005580058.tif 000009
【図９】
0005580058.tif 000010
【図１０】
0005580058.tif 000011